(57)【要約】【課題】  マルチプロジェクションシステム構築時の手間を軽減するために、各種設定を自動で変更することを可能にしたプロジェクタを提供すること。【解決手段】  投影方位を測定する方位測定手段と、他方のプロジェクタとの位置を確認する位置関係確認手段と、他方のプロジェクタと通信可能な通信手段と、を備えるプロジェクタであって、第一のプロジェクタと、第二のプロジェクタと、を含み、第一のプロジェクタの方位測定結果と、第二のプロジェクタの方位測定結果と、第一のプロジェクタと第二のプロジェクタとの間の位置関係確認結果に応じて、第一のプロジェクタおよび、第二のプロジェクタそれぞれ、自プロジェクタがマルチプロジェクションを構成する要素か否か判断し、自プロジェクタの設定を自動で変更することを特徴とする構成とした。【選択図】  図１
2013080088.tif 000002
【特許請求の範囲】
【請求項１】
第一のプロジェクタと第二のプロジェクタとを含み、
前記第一のプロジェクタと、
前記第二のプロジェクタは、
投影方位を測定する方位測定手段と、
他方のプロジェクタとの位置を確認する位置関係確認手段と、
他方のプロジェクタと通信可能な通信手段と、を備えるプロジェクタであって、
前記第一のプロジェクタおよび前記第二のプロジェクタは、前記方位測定手段により方位を測定し、前記通信手段により方位測定結果を交換し合い、
さらに前記第一のプロジェクタおよび前記第二のプロジェクタは位置関係確認手段により他方のプロジェクタの位置関係を判断することにより、
前記第一のプロジェクタおよび前記第二のプロジェクタの前記方位測定結果と、位置関係確認結果に応じて、前記第一のプロジェクタおよび前記第二のプロジェクタはそれぞれ自プロジェクタがマルチプロジェクションを構成する要素か否か判断し、
自プロジェクタの設定を自動で変更すること特徴とするプロジェクタ。
【請求項２】
前記方位測定手段は、地磁気センサであることを特徴とする請求項１に記載のプロジェクタ。
【請求項３】
前記位置関係確認手段は、赤外線送信部と赤外線受信部からなることを特徴とする請求項１に記載のプロジェクタ。
【請求項４】
前記位置関係確認手段は、複数の位置関係確認手段からなり、前記複数の位置関係確認手段は、異なる位置に設けられることを特徴とする請求項１に記載のプロジェクタ。
【請求項５】
前記設定は、明るさ／コントラスト／シャープネス／ガンマ／色／ランプ輝度の内、いずれかひとつ以上が含まれることを特徴とする請求項１に記載のプロジェクタ。
【請求項６】
前記第一のプロジェクタと前記第二のプロジェクタそれぞれに優先順位を設定できることを特徴とする請求項１に記載のプロジェクタ。
【発明の詳細な説明】
【技術分野】
【０００１】
本発明は、複数台プロジェクタを使用したプロジェクションシステムおよび、プロジェクタに関するものである。
【背景技術】
【０００２】
近年、画像をスクリーン等に拡大表示するプロジェクタが、大画面の表示装置として利用されている。最近では、より大画面、高画質の画像を表示できるようにしたマルチプロジェクションシステムなど、複数台プロジェクタを使用するプロジェクションシステムが注目されている。
【０００３】
このようなプロジェクションシステムを構築したい場合、各プロジェクタに対して、明るさ／コントラスト／シャープネス／ガンマ／色／ランプ輝度等の各種設定を変更・調整する必要がある。
【０００４】
例えば、特許文献１ではマルチプロジェクションシステムにおいて、各プロジェクタから調整パターンを投射し、それを撮像手段により撮影して撮像画像データをもとに調整手段により画像位置合わせや色合わせ、明るさ合わせ等の調整や補正を行う技術が開示されている。また特許文献２ではマルチプロジェクションシステムにおいて、操作手段の操作に応じて、マルチプロジェクションシステムを構成するプロジェクタの少なくとも一台から共通の設定メニュー画像を表示し、複数のプロジェクタの各種設定をあたかも１つのプロジェクタの設定を行うよう行える技術が開示されている。
【先行技術文献】
【特許文献】
【０００５】
【特許文献１】特開２００１−２５１６５１号公報
【特許文献２】特開２００８−２１６８０５号公報
【発明の概要】
【発明が解決しようとする課題】
【０００６】
上述の特許文献に開示された従来技術ではプロジェクションシステムを１回構築し、設置したままにしておくような使用形態の場合は、最初の1回だけ各プロジェクタに対し各種設定を変更・調整を行えば良い。
【０００７】
しかしそのような使用形態でない場合は、マルチプロジェクションシステムを構築するたびに、１台１台のプロジェクタに対して各種設定を変更・調整しなくてはならず手間を要した。
【０００８】
そこで本発明の目的は、マルチプロジェクションシステム構築時の手間を軽減するために、各種設定を自動で変更することを可能にしたプロジェクタを提供することである。
【課題を解決するための手段】
【０００９】
上記目的を達成するために本発明は、第一のプロジェクタと第二のプロジェクタとを含み、前記第一のプロジェクタと、前記第二のプロジェクタは、投影方位を測定する方位測定手段と、他方のプロジェクタとの位置を確認する位置関係確認手段と、他方のプロジェクタと通信可能な通信手段と、を備えるプロジェクタであって、前記第一のプロジェクタおよび前記第二のプロジェクタは、前記方位測定手段により方位を測定し、前記通信手段により方位測定結果を交換し合い、さらに前記第一のプロジェクタおよび前記第二のプロジェクタは位置関係確認手段により他方のプロジェクタの位置関係を判断することにより、前記第一のプロジェクタおよび前記第二のプロジェクタの前記方位測定結果と、位置関係確認結果に応じて、前記第一のプロジェクタおよび前記第二のプロジェクタはそれぞれ自プロジェクタがマルチプロジェクションを構成する要素か否か判断し、自プロジェクタの設定を自動で変更すること特徴とする。
【発明の効果】
【００１０】
本発明によれば、第一のプロジェクタおよび第二のプロジェクタは、方位測定手段により、投影方位の測定を行う。第ニのプロジェクタは、通信手段により方位測定結果を第一のプロジェクタへ送信する。また第一のプロジェクタは、位置確認手段により、第二のプロジェクタとの位置関係確認を行う。第一のプロジェクタは、第一のプロジェクタの方位測定結果と、第二のプロジェクタの方位測定結果と、第一のプロジェクタと第二のプロジェクタとの位置関係確認結果に応じて、マルチプロジェクションか否かを判断する。そして第一のプロジェクタは、マルチプロジェクションか否かの判断結果に応じて各種設定を自動で変更する。
【００１１】
また、第一のプロジェクタは、通信手段により方位測定結果を第二のプロジェクタへ送信する。また第二のプロジェクタは、位置確認手段により、第一のプロジェクタとの位置関係確認を行う。第二のプロジェクタは、第二のプロジェクタの方位測定結果と、第一のプロジェクタの方位測定結果と、第二のプロジェクタと第一のプロジェクタとの位置関係確認結果に応じて、マルチプロジェクションか否かを判断する。そして第二のプロジェクタは、マルチプロジェクションか否かの判断結果に応じて各種設定を自動で変更する。
【００１２】
これによりマルチプロジェクションシステム構築時の手間を軽減するために、各種設定を自動で変更することを可能にしたプロジェクタを提供することができる。
【図面の簡単な説明】
【００１３】
【図１】実施例１におけるプロジェクションシステムの概要を示す概略図。
【図２】第一のプロジェクタの構成を示すブロック図。
【図３】第一にプロジェクタの正面図。
【図４】第二のプロジェクタの構成を示すブロック図。
【図５】第二のプロジェクタの正面図。
【図６】第一のプロジェクタの動作を示すフローチャート。
【図７】第二のプロジェクタの動作を示すフローチャート。
【発明を実施するための形態】
【００１４】
以下に、本発明の好ましい実施の形態を、添付の図面に基づいて詳細に説明する。図１は、本発明の実施形態にかかわるプロジェクションシステムの概要である。
【００１５】
［実施例１］
以下、図１〜図７を参照して、本発明の第1の実施例による、プロジェクタについて説明する。
【００１６】
図１には、本発明の実施例１であるプロジェクションシステムの概要を示している。図１においてＰ１は第一のプロジェクタであり、Ｐ２は第二のプロジェクタである。第一のプロジェクタＰ１と第二のプロジェクタＰ２とは、相互通信可能に接続されている。この接続は、ＢｌｕｅＴｏｏｔｈなどにより行われている。なお各プロジェクタ間の接続は、ＢｌｕｅＴｏｏｔｈ以外の無線接続でもよいし、有線の接続でもよい。
【００１７】
Ｗは壁などの被投射面であり、ここに第一のプロジェクタＰ１と第二のプロジェクタＰ２から画像が投射される。ここで、第一のプロジェクタＰ１からは画像Ａ１が、第二のプロジェクタＰ２からは画像Ａ２が、それぞれスクリーン上に投射される。なお図中ではスクリーン上の異なる領域に画像が投射されているが、画像Ａ１と画像Ａ２を同一の画像とし、スタック投射のよう、同じ領域に投射してもよい。
【００１８】
ＳはパーソナルコンピュータやＤＶＤプレイヤ、テレビチューナなどの画像供給装置であり、画像信号を出力する。ここで、画像供給装置Ｓには、画像Ａ１、画像Ａ２を出力する機能を備える。
【００１９】
図２には、第一のプロジェクタの構成を示す。１０１は図示しないＶＧＡ、ＤＶＩ、ＨＤＭＩなど画像用のインターフェースコネクタを含む画像入出力部であり、画像供給装置Ｓから画像信号が供給される。画像信号入出力部１０１に供給された画像信号のうち、画像Ａ１に対応する画像信号は、画像処理部１０２に入力され、画像Ａ２に対応する画像信号は、第二のプロジェクタＰ２へ供給される。
【００２０】
画像処理部１０２では、解像度変換や台形補正、および、明るさ、コントラスト、シャープネス、色などの画質補正など各種画像処理が行われる。また、画像処理部１０２は、後述するＭＰＵから、画像処理の設定変更の信号を受けた場合、設定変更内容に従って各種画像処理の設定変更を行う。各種画像処理が施されたＲ、Ｇ、Ｂの画像信号は、パネル駆動部１０３に入力される。
【００２１】
液晶パネル駆動部１０３は、入力されたＲ、Ｇ、Ｂの画像信号にもとづいてＲ、Ｇ、Ｂ用の３つの液晶パネル１０４を駆動する。なお液晶パネル１０４は、透過型液晶パネルでも反射型液晶パネルでも良いし、液晶パネル以外の表示素子を用いても良い。
【００２２】
一方、光源駆動部１０５では、光源１０６の点消灯や、光源１０６への供給電力を一定に保つなどの光源駆動を行う。また光源駆動部１０５は、後述するＭＰＵから光源輝度設定変更の信号を受けた場合、光源１０６への供給電力を変更することで、光源輝度の変更を行う。
【００２３】
光源１０６から出た光は、光学系（図示せず）によって、Ｒ、Ｇ、Ｂの光に分解されてＲ、Ｇ、Ｂ用の液晶パネル１０４にそれぞれ導かれる。液晶パネル１０４に導かれた光は、液晶パネル１０４で画像変調されて投射レンズ（図示せず）により被投射面Ｗに投射される。これにより、被投射面Ｗに画像Ａ１が表示される。
【００２４】
ＭＰＵ１０７は、画像処理部１０２、パネル駆動部１０３、光源駆動部１０５の制御を行う。またＭＰＵ１０７は、操作部１０９に入力されたユーザ操作を読み取り、操作に応じた動作を行う。
【００２５】
ＲＯＭ１０８は、各種プログラムや設定の保存を行う。マルチプロジェクションシステムとして、プロジェクタを使用する場合の明るさ／コントラスト／シャープネス／ガンマ／色／ランプ輝度等の各種設定もＲＯＭ１０８に保存されている。
【００２６】
方位センサ１１０は、地磁気によって方位を測定するセンサであり、測定した方位に従った信号をＭＰＵ１０７へ出力する。
【００２７】
位置関係確認部１１１は、赤外線信号の送／受信部（図示せず）から成り、第一のプロジェクタは、送信部から赤外線信号を送信することができ、また、受信部によって第二のプロジェクタから送信される赤外線信号を受信できる。さらに、位置関係確認部１１１は、図３の第一のプロジェクタＰ１の正面図に示すように本体側面に位置関係確認部１１１−１と１１１−２がそれぞれに設けられている。位置関係確認部１１１は、第二のプロジェクタとの通信可否などの情報をＭＰＵ１０７に出力する。
【００２８】
通信部１１２は、ＢｌｕｅＴｏｏｔｈなどの無線通信機能が設けられている、この通信部により、第二のプロジェクタと相互通信を行う。
【００２９】
次に、図４、図５を用いて、第二のプロジェクタＰ２の構成を説明する。第二のプロジェクタＰ２の構成は、第一のプロジェクタＰ１と同じであり、図２、図３の第一のプロジェクタＰ１と同じ構成要素には、図２と同じ符号を付けている。
【００３０】
第二のプロジェクタＰ２においては、画像Ａ２に対応する画像信号は、画像処理部１０２に入力される。
【００３１】
また、位置関係確認部１１１は、図５の第二のプロジェクタＰ２の正面図に示すように本体側面に位置関係確認部１１１−１と１１１−２がそれぞれに設けられている。さらに、位置関係確認部１１１は、赤外線信号の送／受信部（図示せず）から成り、第二のプロジェクタは送信部により赤外線信号を送信することができ、また受信部により第一のプロジェクタからの赤外線信号を受信できる。位置関係確認部１１１は、第一のプロジェクタとの通信可否などの情報をＭＰＵ１０７に出力する。
【００３２】
通信部１１２は、ＢｌｕｅＴｏｏｔｈなどの無線通信機能が設けられている、この通信部により、第一のプロジェクタと相互通信を行う。
【００３３】
次に、図６のフローチャートを用いて第一のプロジェクタＰ１の動作を説明する。
【００３４】
ステップ（図にはＳと記す）１１では、第二のプロジェクタＰ２との間の位置を確認するために赤外外線信号を送信する。また、ステップ１２では、第二のプロジェクタＰ２からの赤外線信号がある場合は、赤外線通信可能な位置に第二のプロジェクタＰ２が設置されていると判断し、赤外線信号がない場合は、第一のプロジェクタＰ１と第二のプロジェクタＰ２との間の位置が遠い、または、第一のプロジェクタＰ１と第二のプロジェクタＰ２との間に壁があるなど、赤外線通信不能な位置に第二のプロジェクタＰ２が設置されていると判断する。赤外線通信不能な位置に第二のプロジェクタＰ２が設置されていると判断した場合はマルチプロジェクションシステムを構成していないと判断し、フローチャートを終了する。また、赤外線通信可能な位置に第二のプロジェクタＰ２が設置されていると判断した場合は、次のステップに移行する。
【００３５】
ステップ１３では、投影方位測定を行い、ステップ１４では、前記投影方位測定の結果を第二のプロジェクタＰ２へ向け送信する。
【００３６】
ステップ１５では、第二のプロジェクタＰ２からの方位測定結果を受信したかどうかの判断を行う。第二のプロジェクタＰ２からの方位測定結果を受信できない場合は、ステップ１６へ移行し、受信した場合はステップ１７へ移行する。第二のプロジェクタＰ２からの方位測定結果の受信待機と同時に、時間計測を始め（図示せず）、ステップ１６では、前記時間計測が一定時間内の場合は、ステップ１５へ戻り、前記時間計測が一定時間経過した場合は、フローチャートを終了する。
【００３７】
ステップ１７では、第一のプロジェクタＰ１自身の投影方位測定結果と、第二のプロジェクタＰ２から送信された第二のプロジェクタＰ２の方位測定結果を比較し、２つの方位測定結果が近い値であれば、ステップ１８へ移行する。
【００３８】
ステップ１８では、ＲＯＭ１８に保存してある明るさ／コントラスト／シャープネス／ガンマ／色／ランプ輝度等の各種設定を読み出し、各々の設定変更を行う。なお各種設定変更としては、第一のプロジェクタＰ１、あるいは、第二のプロジェクタＰ２に優先順位を割り当て、優先順位と各種設定を通信部により各々交換し、優先順位の低いプロジェクタが、優先度の高いプロジェクタの設定に合わせてもよい。以上で本フローチャートは終了である。
【００３９】
次に、図７のフローチャートを用いて第一のプロジェクタＰ２の動作を説明する。
【００４０】
ステップ２１では、第二のプロジェクタＰ１との間の位置を確認するために赤外外線信号を送信する。また、ステップ２２では、第一のプロジェクタＰ１からの赤外線信号がある場合は、赤外線通信可能な位置に第一のプロジェクタＰ１が設置されていると判断し、赤外線信号がない場合は、第二のプロジェクタＰ２と第一のプロジェクタＰ１との間の位置が遠い、または、第二のプロジェクタＰ２と第一のプロジェクタＰ１との間に壁があるなど、赤外線通信不能な位置に第二のプロジェクタＰ１が設置されていると判断する。赤外線通信不能な位置に第一のプロジェクタＰ１が設置されていると判断した場合はマルチプロジェクションシステムを構成していないと判断し、フローチャートを終了する。また、赤外線通信可能な位置に第一のプロジェクタＰ１が設置されていると判断した場合は、次のステップに移行する。
【００４１】
ステップ２３では、投影方位測定を行い、ステップ２４では、前記投影方位測定の結果を第一のプロジェクタＰ１へ向け送信する。
【００４２】
ステップ２５では、第一のプロジェクタＰ１からの方位測定結果を受信したかどうかの判断を行う。第二のプロジェクタＰ１からの方位測定結果を受信できない場合は、ステップ２６へ移行し、受信した場合はステップ２７へ移行する。第一のプロジェクタＰ１からの方位測定結果の受信待機と同時に、時間計測を始め（図示せず）、ステップ２６では、前記時間計測が一定時間内の場合は、ステップ２５へ戻り、前記時間計測が一定時間経過した場合は、フローチャートを終了する。
【００４３】
ステップ２７では、第二のプロジェクタＰ２自身の投影方位測定結果と、第一のプロジェクタＰ１から送信された第一のプロジェクタＰ１の方位測定結果を比較し、２つの方位測定結果が近い値であれば、ステップ２８へ移行する。
【００４４】
ステップ２８では、ＲＯＭ２８に保存してある明るさ／コントラスト／シャープネス／ガンマ／色／ランプ輝度等の各種設定を読み出し、各々の設定変更を行う。なお各種設定変更としては、第一のプロジェクタＰ１、あるいは、第二のプロジェクタＰ２に優先順位を割り当て、優先順位と各種設定を通信部により各々交換し、優先順位の低いプロジェクタが、優先度の高いプロジェクタの設定に合わせてもよい。以上で本フローチャートは終了である。
【符号の説明】
【００４５】
Ｐ１  第一のプロジェクタ
Ｐ２  第二のプロジェクタ
１０１  画像信号入出力部
１０２  画像処理部
１０３  パネル駆動部
１０４  パネル
１０５  光源駆動部
１０６  光源
１０７  ＭＰＵ
１０８  ＲＯＭ
１０９  操作部
１１０  方位センサ
１１１  距離確認部
１１２  通信部
【図１】
2013080088.tif 000003
【図２】
2013080088.tif 000004
【図３】
2013080088.tif 000005
【図４】
2013080088.tif 000006
【図５】
2013080088.tif 000007
【図６】
2013080088.tif 000008
【図７】
2013080088.tif 000009